(57)【要約】【課題】神経系等の「骨の際」や背骨の際や背骨の真上を温熱し、かつ指圧して優れた温圧効果を発揮させ、また、施術者単独での施術を実現する。【解決手段】先端部には、臀部における仙骨・仙腸関節等から大腿部後面・ふくらはぎ・足までの痛みラインにある骨の際に接触させて、該骨の際を所定温度に温めかつ指圧可能に、胴部と連通可能に内部を中空に形成した凸部を２個隣接させて並列させた第１温圧部を形成し、周胴には灰落下を阻止し得る空気取り入れ用小孔群を穿孔し、基部にはグリップ体の雌螺条部と螺合する雄螺条部を刻設した金属製のものである。【選択図】  図１
2008272055.tif 000002
【特許請求の範囲】
【請求項１】
先端部には、臀部における仙骨・仙腸関節等から大腿部後面・ふくらはぎ・足までの痛みラインにある骨の際に接触させて、該骨の際を所定温度に温めかつ指圧可能に、胴部と連通可能に内部を中空に形成した凸部を２個隣接させて並列させた第１温圧部を形成し、周胴には灰落下を阻止し得る空気取り入れ用小孔群を穿孔し、基部にはグリップ体の雌螺条部と螺合する雄螺条部を刻設して成る金属製のキャップ体。
【請求項２】
先端部には、背骨の際や背骨の真上を所定温度に温めかつ指圧可能なほぼ同一高さで、胴部と連通可能に内部を中空に形成した凸部を複数配設した第２温圧部を設け、周胴には灰落下を阻止し得る空気取り入れ用小孔群を穿孔し、基部にはグリップ体の雌螺条部と螺合する雄螺条部を刻設して成る金属製のキャップ体。
【請求項３】
第２温圧部は、先端部を胴部の径より広がるように拡大して形成したことを特徴とする請求項２に記載のキャップ体。
【請求項４】
胴部周壁には、胴部と連通可能に内部を中空に形成した凸状部を軸線方向に複数個縦列させた第３温圧部を設け、周胴には灰落下を阻止し得る空気取り入れ用小孔群を穿孔し、基部にはグリップ体の雌螺条部と螺合する雄螺条部を刻設して成る金属製のキャップ体。
【請求項５】
第３温圧部を、キャップ体の胴部周壁の周方向に複数配設したことを特徴とする請求項４に記載のキャップ体。
【請求項６】
胴部と連通可能に内部を中空に形成した凸状部を軸線方向に複数個縦列させた第３温圧部を胴部周壁に設けてなることを特徴とする請求項１に記載のキャップ体。
【請求項７】
先端を半円状ルーフに形成した胴部には、グリップ軸線をほぼ４５度傾けた時一部が人体の皮膚に接触可能に、胴部と連通する中空で凸状の第4温圧部を複数配設し、周胴には灰落下を阻止し得る空気取り入れ用小孔群を穿孔し、基部にはグリップ体の雌螺条部と螺合する雄螺条部を刻設して成る金属製のキャップ体。
【請求項８】
柄部と枠部とから構成され、柄部にはスイッチ部を備え、該柄部の端部に、一定温度に保持する温度制御器付ヒーターに半球状の凸状部を複数個起立させた第５温圧部が内部に組み込まれたことを特徴とする電気式温圧治療器。
【請求項９】
臀部における仙骨・仙腸関節等から大腿部後面・ふくらはぎ・足までの痛みラインにある骨の際を所定温度に温めかつ温圧可能に、凸部を２個隣接させて並列させた第６温圧部を第５温圧部のヒーターの端部に形成し、該第６温圧部を枠部の一端に起立露出させて配置したことを特徴とする請求項８に記載の電気式温圧治療器。
【発明の詳細な説明】
【技術分野】
【０００１】
本発明は、多熱量の太い練りもぐさ棒（直径約１０mm，長さ約１３０mm）を用い、その温熱を半円状の金属製接触子（直径約２４mm）を介してＴシャツ等の布上から肌に間接的に加える温圧器のキャップ体及び電気式温圧治療器に関するものである。
【背景技術】
【０００２】
従来の技術の温灸式温圧器として、実公昭６２−４３５５９号記載の発明（特許文献１参照）がある。これは、容器の上面2箇所に温灸指圧用凸部を突設したものである。2個の突部の大きさは大人の親指程度にするのが好適であるとされ、該2個の突部の間隔は、患部のつぼに平均的に突部上面が当たるようにするため、また、器具として取り扱う便利に約６０ｍｍの間隔を開け、上面が同じ高さになるのが良い。また、同突部の上端面には加熱煙を放出するための孔部を任意数設ける。温灸指圧器を使用する際には、双頭状の突部を患部に当てることによって温灸指圧を行う、と記載されている。
【０００３】
次に、特許第２６７７７２４号記載の発明は、先端をやや尖がり気味の半円ルーフに形成した温灸式温圧器である（特許文献２参照）。
【特許文献１】実公昭６２−４３５５９号
【特許文献２】特許第２６７７７２４号
【発明の開示】
【発明が解決しようとする課題】
【０００４】
（１）特許文献１の従来の技術における2個の突部では神経痛等の痛みラインにある「骨の際」に接触して温圧させることに適合しない配置、形状であり、また、容器は小さく指圧効果も弱い、2個の突部はつぼ付近に当てるだけのものであるから、温圧効果は期待できないものである。
【０００５】
（２）特許文献２の従来の技術では、キャップ体は、先端をやや尖がり気味の半円ルーフに形成したものである。従って、その形状や大きさから神経系の骨の際等の狭い箇所に入り込んで温熱することが困難であり、骨の際への位置合せも困難であるという問題点がある。
【０００６】
（３）従来の温灸式温圧器や電気式治療器は、その形状、構造から二人で施術する構造であるため、施術者単独で施術を行うことが難しいという問題点がある。
【０００７】
（４）骨や筋肉の部位によって、指圧用凹凸の大きさや数、配置形態の最も適した器具を選択して温圧を行う必要があるが、このような器具はないためレベルの高い多様な施術ができないという問題点がある。
また、従来のこの種温圧器は、キャップ体とホルダーとは腕の相当の力等で指圧を行う関係からほぼ一体に組み付けられる構造とされているため、キャップ体は１種類の形状で構成され、これを適宜洗浄して使用しているため施術時間が洗浄時間分余計に必要になるという問題点がある。
【０００８】
（５）従来の温灸式温圧器では、キャップ体が１種類の形態で、取替え部品がないため、適宜洗わないと燃焼が悪くなり、施術途中で火が消えてしまう。従って、燃焼不良の場合、一旦停止し、キャップ体の先端部を洗浄しなれば施術を継続できない。従って、洗浄作業のため施術時間の短縮を図ることができないという問題点がある。
【０００９】
（６）電気式温圧治療器の場合は、温熱部が平板状であるため面状温熱は可能であるが、骨の際等細かい部位を移動させて温圧することは難しいという問題点がある。
【００１０】
そこで、本発明は、上記課題に鑑みて発明されたもので、神経系等の「骨の際」や背骨の際や背骨の真上を温熱し、かつ指圧して温圧効果を発揮可能とし、施術者単独で施術が可能な温圧器のキャップ体及び電気式温圧治療器の提供を目的としている。
【課題を解決するための手段】
【００１１】
本発明の請求項１の発明に係るキャップ体は、
先端部には、臀部における仙骨・仙腸関節等から大腿部後面・ふくらはぎ・足までの痛みラインにある骨の際に接触させて、該骨の際を所定温度に温めかつ指圧可能に、胴部と連通可能に内部を中空に形成した凸部を２個隣接させて並列させた第１温圧部を形成し、周胴には灰落下を阻止し得る空気取り入れ用小孔群を穿孔し、基部にはグリップ体の雌螺条部と螺合する雄螺条部を刻設して成る金属製のものである。
【００１２】
請求項２の発明に係るキャップ体は、
先端部には、背骨の際や背骨の真上を所定温度に温めかつ指圧可能なほぼ同一高さで、胴部と連通可能に内部を中空に形成した凸部を複数配設した第２温圧部を設け、周胴には灰落下を阻止し得る空気取り入れ用小孔群を穿孔し、基部にはグリップ体の雌螺条部と螺合する雄螺条部を刻設して成る金属製のものである。
【００１３】
請求項３は、請求項２に記載のキャップ体において、
第２温圧部は、先端部を胴部の径より広がるように拡大して形成したことを特徴としている。
【００１４】
請求項４の発明に係るキャップ体は、
胴部周壁には、胴部と連通可能に内部を中空に形成した凸状部を軸線方向に複数個縦列させた第３温圧部を設け、周胴には灰落下を阻止し得る空気取り入れ用小孔群を穿孔し、基部にはグリップ体の雌螺条部と螺合する雄螺条部を刻設して成る金属製のものである。
【００１５】
請求項５は、請求項４に記載の温灸式温圧器のキャップ体において、
第３温圧部を、キャップ体の胴部周壁の周方向に複数配設したことを特徴としている。
【００１６】
請求項６は、請求項１に記載の温灸式温圧器のキャップ体において、
胴部と連通可能に内部を中空に形成した凸状部を軸線方向に複数個縦列させた第３温圧部を胴部周壁に設けてなることを特徴としている。
【００１７】
請求項７の発明に係るキャップ体は、
先端を半円状ルーフに形成した胴部には、グリップ軸線をほぼ４５度傾けた時一部が人体の皮膚に接触可能に、胴部と連通する中空で凸状の第4温圧部を複数配設し、周胴には灰落下を阻止し得る空気取り入れ用小孔群を穿孔し、基部にはグリップ体の雌螺条部と螺合する雄螺条部を刻設して成る金属製のものである。
【００１８】
請求項８の発明に係る電気式温圧治療器は、
柄部と枠部とから構成され、柄部にはスイッチ部を備え、該柄部の端部に、一定温度に保持する温度制御器付ヒーターに半球状の凸状部を複数個起立させた第５温圧部が内部に組み込まれたことを特徴としている。
【００１９】
請求項９は、請求項８に記載の電気式温圧治療器において、
臀部における仙骨・仙腸関節等から大腿部後面・ふくらはぎ・足までの痛みラインにある骨の際を所定温度に温めかつ温圧可能に、凸部を２個隣接させて並列させた第６温圧部を第５温圧部のヒーターの端部に形成し、該第６温圧部を枠部の一端に起立露出させて配置したことを特徴としている。
【発明の効果】
【００２０】
本発明は、以下の効果を奏するものである。
（１）本発明によれば、面状加温及び点状加温により、体内に入る熱量を多くし、温圧器を急速に上下左右に移動させることにより、体内のエネルギーの流れを良くし、血行の改善・老廃物の排除・神経の活性化により、健康回復に多大な効果を発揮できる。また、治療効果は温熱・指圧・マッサージを一体化した理想の治療器となる。
【００２１】
（２）本発明によれば、体の部位（骨や筋肉の部位）に対応して、凹凸の大きさや数の最も適したキャップ体を選択して使用することができ、的確な施術ができる。
【００２２】
（３）従来のこの種温圧器は、キャップ体とホルダー体とは腕の相当の力等で指圧を行う関係からほぼ一体に組み付けられる構造とされているため、キャップ体は１種類の形状で構成され、これを適宜洗浄して使用している。
本発明によれば、キャップ体はホルダーに螺合させて取り付けられているので、容易に取りはずして交換でき、キャップ体の掃除が可能である。従って、用途に対応して取替えが容易にできるため、使用後のキャップ体はまとめて先端を洗浄でき、洗浄時間及び施術時間の短縮を図ることができる。また、数種の形態のキャップ体を用意して、症状に適合したキャップ体を選択して、痛みや疲労解消の施術をすることができる、極めて優れたものである。
【００２３】
（４）請求項１、６の発明によれば、臀部の仙骨・仙腸関節等から大腿部後面・ふくらはぎ・足までの痛みのラインに沿って、キャップ体の第1温圧部が骨の際に沿って入り込み、熱と指圧による刺激を与えて体の痛みを有効にほぐすことができる。
【００２４】
（５）請求項２〜６の発明によれば、第２、３温圧部を有するキャップ体で肌を移動し、温熱で摩擦することにより、温熱効果と神経刺激効果の相乗作用によって更なる健康回復を早めることができる。
【００２５】
（６）請求項３の発明によれば、先端部の拡大部で皮膚をマッサージすることにより、皮膚への接触面積が大きくできる。従って、指圧回数を軽減でき、マッサージの負担が少なくなる効果がある。
【００２６】
（７）請求項７の発明によれば、温圧器の軸線を４５度傾けて施術すると、施術中における圧の入りが容易で、手が疲れ難く、どの方向でも施術できる。
【００２７】
（８）請求項８，９の電気式温圧治療器によれば、神経系の骨の際等細かい部位を温めることはできるため、温灸式温圧器と同様の指圧効果があり、しかも施術者単独で、かつ安全かつスピーデイに温圧施術を行うことができる。従って、老若男女、自分単独で今まで困難だった骨の際等に温熱を到達させて、かつ指圧が容易にできる。
【発明を実施するための最良の形態】
【００２８】
本発明を表した図１〜図２０を参照して説明する。
先ず、第1実施例を図１から図６により説明すると、この第1実施例の発明は、例えば尺骨、脛骨等における骨と骨との間の筋肉を温熱し、かつ指圧して刺激してほぐして坐骨神経痛等の痛みを施術し、また、手や足の骨間の筋肉を温熱し、かつ指圧して刺激してほぐす形態のものである。
【００２９】
第1実施例のキャップ体３は、直径２４mm，長さ７２mm程度の金属製で、該キャップ体３の先端部５には、臀部における仙骨・仙腸関節等から大腿部後面・ふくらはぎ・足までの痛みラインにある骨の際に接触させて、該骨の際を所定温度に温めかつ指圧可能に、胴部１７と連通可能に内部を中空に形成した凸部１６を２個隣接させて並列させた第１温圧部１５が形成されている。また、周胴には灰落下を阻止し得る空気取り入れ用小孔群６が穿孔され、基部にはグリップ体１の雌螺条部２と螺合する雄螺条部４が刻設されている。
【００３０】
キャップ体３により練りもぐさ棒先端の点火熱は肌に直射されることなく面状又は点状に拡散して間接的に当てられることとなる。また、前記凸部１６は、尺骨、脛骨等の骨と骨との間の狭い箇所に入り込むことが可能な大きさで、例えば直径約8〜１０ｍｍ、深さ（高さ）は約１０ｍｍ程度が良い。なお、被施術者の骨と骨との間隔の広狭により上記寸法は変更される。
【００３１】
ホルダー体７は耐熱上金属製とされる筒体（長さ約１４０mm）で、先端絞り込み部８には複数個のスリット９が周設されていて太い練りもぐさ棒１０を弾力性をもって抱持し、周胴部１１には煙通路形成のため透孔群１２が穿孔されている。さらに基端には該キャップ体３とグリップ体１との組付体（長さ１７２mm）中にみだりに没入することを阻止すべく鍔１３が付形されている。グリップ体１の雌螺条部２の近傍にはホルダー体７固定用の断熱材（登録商標テフロン等）製の止めネジ１４が配設され、グリップ体１に遊嵌挿のホルダー体７をこの部分でロックしている。
【００３２】
本温圧器Ｔは、燃焼温度が６０〜８０℃程度で使用され、７０℃程度の温度が好適である。そして、４０分間程度の時間燃焼し、空気孔の最終列から５mm下のところで自然に消火する。そして、キャップ体３の先端の金属部分から発生する６０〜８０℃又は７０℃の熱と摩擦刺激が、Ｔシャツなどの衣類を介して身体に加わり、温熱効果と神経刺激効果が、細胞の活性化をもたらし、臓器の改善に多大の影響を与える作用がある。
【００３３】
第１実施例のキャップ体３を取り付けた温圧器Ｔは、坐骨神経痛、大腿神経痛の施術の場合は、痛みは骨の際を通っているので、第１温圧部１５が痛みのラインに丁度良くはまり込んで「骨の際」に接触して該箇所を温め、かつ同時に圧を加えることにより、温圧効果が発揮できるものである。
【００３４】
施術の方法としては、(1)臀部（仙骨・仙腸関節）から大腿部後面・ふくらはぎ・足までの痛みに沿って第１温圧部１５の凸部１６を骨の長手方向とほぼ平行になるように持ち、２個の凸部１６を痛みのラインに沿って、真上から下へ向かって流熱や返し熱を加える。  (2)次に、上部から２個の凸部１６を左右に、小刻みに振動させたら、ジグザグと痛みのスジを伝いながら、下部へ移動して熱と刺激を与えて、ほぐす。
また、大腿神経痛の場合、その他、足の内股や前側の痛みの場合は、前記坐骨神経痛と同じ方法で使用する。
更に、仙腸関節の場合は、痛みは仙骨と腸骨の間にあり、腰痛・坐骨神経痛の場合、骨の際を温熱と指圧により刺激して、血行を良くし、痛みを緩解させることができる。図５の矢印は、第１温圧部１５の移動方向を示している。
【００３５】
図７〜９に表した第2実施例では、第２温圧部１５ａで筋肉部分、面積の広い肩甲骨、仙骨を温熱し、指圧して刺激するものである。
第２実施例のキャップ体３は第1実施例と同様金属製のもので、先端部には、背骨の際や背骨の真上を所定温度に温めかつ指圧可能なほぼ同一高さで、胴部１７と連通可能に内部を中空に形成した凸状部１８を複数形成した第２温圧部１５ａが設けられている。また、周胴には灰落下を阻止し得る空気取り入れ用小孔群６を穿孔し、基部にはグリップ体１の雌螺条部２と螺合する雄螺条部４が刻設されている。
【００３６】
前記第２温圧部１５ａは、図１９、２０のように、温熱と指圧刺激が短時間で広範囲に可能に、先端部を胴部１７の径より広がるように拡大して形成されている。図１９は先端部に半球形状の第２温圧部１５ａを2個形成した第９実施例、図２０は先端部に半球形状の第２温圧部１５ａを３個形成した第１０実施例である。
【００３７】
図１９の第９実施例、図２０の第１０実施例のキャップ体３を使用する場合は、背中側や腰は体の後ろ側にあるので、第2温圧部１５ａが複数個あり、また皮膚２３に接触する面積が大きいので、熱と刺激が短時間で広範囲に入ることが特色となり、施術者単独での施術が容易になる。
また、ぼこぼこした骨、例えば肩甲骨や仙骨等に施術を行うと、温熱する他に、複数の第2温圧部１５ａにより、圧（強さ）が簡単に入り、筋肉のこりも効率よくほぐすことができる。更に、従来の温圧器のキャップ体を複数個使用する形態になるので、温圧効果も倍増できる。
使用に当たっては、圧を入れたまま、温圧器を上下左右に移動させることにより、筋肉・骨などに刺激を与えることができる。
【００３８】
腰痛や坐骨神経痛の原因の１つに、仙骨・仙腸関節がある。該仙骨や仙腸関節は、温めるだけでは治らないので、温圧器Ｔを体に垂直に当てて、骨付近に熱を入れ、更に圧も加えることにより刺激が入る。その結果、血行がよくなり、筋肉が緩んで、骨は元の位置に戻ろうとする働きを助けることができるので、仙腸関節が正しい位置に戻ることになる。
また、仙腸関節は、体の下方から上方へと圧を入れて刺激するが、施術者一人で施術する時は、温圧器Ｔを体に垂直に当てると圧も入り易くなるので、刺激も入り、仙腸関節への施術ができる。
腰痛の施術は、骨や筋肉に作用させるため圧が必要で、それぞれの体の部位に適した第１温圧部１５は仙腸関節に、第２温圧部１５ａは仙骨、臀部に使用することにより、施術者１人で自己の仙骨、仙腸関節、臀部の筋肉に温圧器Ｔを垂直に当てて圧を入れるので、1度に施術できる面積が広くなり、作業効率も良い。
【００３９】
また、図１０，１１のように、胴部１７周壁には、胴部１７と連通可能に内部を中空に形成した凸部１６ａを軸線方向に複数個縦列させた第３温圧部１５ｂを設け、周胴には灰落下を阻止し得る空気取り入れ用小孔群６を穿孔し、基部にはグリップ体３の雌螺条部２と螺合する雄螺条部４が刻設されている。
【００４０】
図１２のように、第３温圧部１５ｂを、キャップ体３の胴部１７周壁の周方向に複数配設してもよい。
【００４１】
図１０，１１の第３実施例によれば、肩や背中の上部、腕や足の筋肉の痛みは、第３温圧部１５ｂを皮膚２３に水平に移動すると、施術者単独で容易に施術ができ、手や腕の疲れは少なくなる。また、肩甲骨や腎臓のある位置の背中側も筋肉のこりを効率よくほぐし、疲れを取る。また、血行をよくし、疲労を回復させる効果がある。
【００４２】
図１２に表した第４実施例は、第1実施例のキャップ体３に、第３実施例の第３温圧部１５ｂを胴部１７周壁に設けたものである。
1個のキャップ体３で、第1実施例と第3実施例の作用、効果を期待できるものである。図１３は、第２温圧部１５ａと第３温圧部１５ｂを組み合わせたキャップ体３である。
【００４３】
図１４に表した第５実施例のキャップ体３は、先端を半円状ルーフに形成した胴部１７に、温圧器Ｔの軸線をほぼ４５度傾けた時一部が人体の皮膚に接触可能に、胴部と連通する中空で凸状の第4温圧部１５ｃを複数配設し、周胴には灰落下を阻止し得る空気取り入れ用小孔群６を穿孔し、基部にはグリップ体３の雌螺条部２と螺合する雄螺条部４を刻設して成る金属製のものである。
【００４４】
前記凸状の第4温圧部１５ｃの配置は任意で、図１４のように、小孔６の列を介して１つ置きに、又は任意に複数列配置してもよい。
温圧器Ｔの軸線を４５度傾けて施術すると、施術中における圧の入りが容易で、手が疲れ難い。あらゆる方向で使用可能に第4温圧部１５ｃを配置するのがよい。
【００４５】
本発明のキャップ体３を取り付けた温圧器Ｔの使用手順は、まず、（１）練りもぐさ棒１０（長さ１３０mm）をホルダー体７に頭部より９５mm差し込む。３５mm残った先端の３０mmをガスコンロで黒く焦がし、その先端３mmについて点火する。
（２）赤く着火させた状態で、このホルダー体７を右手に持ち、温圧器Ｔ（キャップ体３とグリップ体１の組付け体）を左手に持ち、右手のホルダー体７の先端の点火させた部分を小孔群６の先端に沿わせて、左手で温圧器とホルダー体７の二つを一緒に持つ。右手は何も持っていない状態となる。
（３）右手で温圧器からはみ出したホルダー体７の飛び出し部分を親指と人指し指で挟み、温圧器Ｔに差し込み、右手の親指か人指し指が入口で当たったところで止め、右手で止めネジ１４を締め、ホルダー体７が抜け落ちないよう引っ張って確認する。
（４）ホルダー体７がセットされた温圧器Ｔを一方の手で、Ｔシャツを着た上から、背中はまず脊椎の両側４０mmのところを縦に流し、次でその線上を上から、脊髄の臓器へ行く神経根に向けて、ジグザグに下へ下へと摩擦する。ジグザグ運動によって、筋肉に圧痛のあるところは、特に入念に熱を加える。（この背中の施術時間は５〜１０分）
なお、体の各部位に対応する各キャップ体３の使用は、上述したとおりである。
【００４６】
図１７に表した第６実施例は、電気式温圧治療器２２に関するものである。該電気式温圧治療器は、柄部２０と枠部２１とから構成され、柄部２０にはスイッチ部（図示省略）を備え、該柄部２０の端部に、一定温度に保持する温度制御器付ヒーター19に半球状の凸状部１９ａを複数個起立させた第５温圧部１５ｄが内部に組み込まれている。
前記電気式温圧治療器２２は、柄部の長さは１８０ｍｍ、直径は３０ｍｍ、枠部の直径は８０ｍｍ、凸状部の直径１０〜２０ｍｍ程度に形成するのがよい。また、ヒーター１９の温度は、５０〜８０℃程度に設定するか、症状に対応して温度設定を選択できるようにして調整されている。
【００４７】
図１８に表した第７実施例は、第６実施例の電気式温圧治療器の枠部２1に、図１の第1実施例とほぼ同様な構成の、臀部における仙骨・仙腸関節等から大腿部後面・ふくらはぎ・足までの痛みラインにある骨の際を所定温度に温めかつ温圧可能に、凸部２４を２個隣接させて並列させた第６温圧部１５ｅを第５温圧部１５ｄのヒーター１９の端部に形成し、該第６温圧部１５ｅを枠部２１の一端に起立露出させて配置している。
【００４８】
電気式温圧治療器の使用は、該治療器を一方の手に持ち、Ｔシャツを着た上から、前記温圧器と同様の手順で施術を行う。
【図面の簡単な説明】
【００４９】
【図１】本発明の第１実施例の全体縦断面図である。
【図２】本発明の第１実施例の展開図である。
【図３】本発明の第１実施例のキャップ体の正面図である。
【図４】本発明の第１実施例のキャップ体の平面図である。
【図５】Ａ―Ａ断面図である。
【図６】Ｃ―Ｃ断面図である。
【図７】本発明の第２実施例のキャップ体の斜視図である。
【図８】本発明の第２実施例のキャップ体の平面図である。
【図９】本発明の第２実施例のキャップ体の温圧時の説明図である。
【図１０】ａは本発明の第３実施例のキャップ体の平面図、ｂは正面図である。
【図１１】本発明のＢ―Ｂ断面図である。
【図１２】ａは本発明の第４実施例のキャップ体の平面図、ｂは正面図である。
【図１３】ａは本発明の第５実施例のキャップ体の平面図、ｂは正面図である。
【図１４】ａは本発明の第６実施例の平面図、ｂは正面図である。
【図１５】第６実施例の温圧施術時の説明図である。
【図１６】図１５の状態の切り返し施術時の説明図である。
【図１７】ａは本発明の第７実施例の電気式温圧治療器の平面図、ｂはＤ―Ｄ断面図である。
【図１８】本発明の第８実施例の電気式温圧治療器の平面図である。
【図１９】ａは本発明の第９実施例の正面図、ｂは平面図である。
【図２０】ａは本発明の第１０実施例の正面図、ｂは平面図である。
【符号の説明】
【００５０】
Ｔ      温圧器
１      グリップ体
２      雄螺条部
３      キャップ体
４      雌螺条部
５      先端部
６      小孔群
７      ホルダー体
８      絞込み部
９      スリット
１０    練りもぐさ棒
１１    周胴部
１２    透孔
１３    鍔
１４    止めネジ
１５    第１温圧部
１５ａ  第２温圧部
１５ｂ  第３温圧部
１５ｃ  第４温圧部
１５ｄ  第５温圧部
１５ｅ  第６温圧部
１６    凸部
１６ａ  凸部
１７    胴部
１８    凸状部
１９    ヒーター
１９ａ  凸状部
２０    柄部
２１    枠部
２２    電気式温圧治療器
２３    皮膚
２４    凸部
【図１】
2008272055.tif 000003
【図２】
2008272055.tif 000004
【図３】
2008272055.tif 000005
【図４】
2008272055.tif 000006
【図５】
2008272055.tif 000007
【図６】
2008272055.tif 000008
【図７】
2008272055.tif 000009
【図８】
2008272055.tif 000010
【図９】
2008272055.tif 000011
【図１０】
2008272055.tif 000012
【図１１】
2008272055.tif 000013
【図１２】
2008272055.tif 000014
【図１３】
2008272055.tif 000015
【図１４】
2008272055.tif 000016
【図１５】
2008272055.tif 000017
【図１６】
2008272055.tif 000018
【図１７】
2008272055.tif 000019
【図１８】
2008272055.tif 000020
【図１９】
2008272055.tif 000021
【図２０】
2008272055.tif 000022